(57)【要約】      （修正有）【課題】本考案は、使用した際の面白さをより発揮することができるライターおよびライター用ケースを提供する。【解決手段】ライター１は、光を発する発光ダイオード２１と、光を拡散させるレンズ２３と、所定の伝達情報を形成したフィルム体２２とを備えている。そして、フィルム体２２は、発光ダイオード２１からの光が通る光路上に配設されている。【選択図】図１
0003124865.tif 000002
【実用新案登録請求の範囲】
【請求項１】
光を発する光源を備えたライターであって、
前記光源からの光が通る光路上に、所定の伝達情報を形成したフィルム体を配設したことを特徴とするライター。
【請求項２】
前記光源または前記フィルム体を可動にして、前記光源と前記フィルム間の距離を可変に構成したことを特徴とする請求項１に記載のライター。
【請求項３】
光を発する光源を備えたライターであって、
前記光源の表面に、所定の伝達情報を形成したことを特徴とするライター。
【請求項４】
光を発する光源を備えたライターであって、
前記光が通過するレンズを備え、
前記レンズの表面に、所定の伝達情報を形成したことを特徴とするライター。
【請求項５】
光を発する光源を備えたライターであって、
前記ライターの外装ケースに前記光が通る孔を設け、この孔の形を所定の伝達情報として形成したことを特徴とするライター。
【請求項６】
前記光源が、発光ダイオードであることを特徴とする請求項１〜請求項５のいずれか１項に記載のライター。
【請求項７】
前記伝達情報が、文字または図の一部であることを特徴とする請求項１〜請求項６のいずれか１項に記載のライター。
【請求項８】
前記ライターの熱が所定温度以上になったときに前記光源への通電を許可する感熱スイッチを設けたことを特徴とする請求項１〜請求項７のいずれか１項に記載のライター。
【請求項９】
光を発する光源を備えたライター用ケースであって、
前記光源からの光が通る光路上に所定の伝達情報を形成したフィルム体を配設したことを特徴とするライター用ケース。
【請求項１０】
前記光源または前記フィルム体を可動にして、前記光源と前記フィルム間の距離を可変に構成したことを特徴とする請求項９に記載のライター用ケース。
【請求項１１】
光を発する光源を備えたライター用ケースであって、
前記光源の表面に、所定の伝達情報を形成したことを特徴とするライター用ケース。
【請求項１２】
光を発する光源を備えたライター用ケースであって、
前記光が通過するレンズを備え、
前記レンズの表面に、所定の伝達情報を形成したことを特徴とするライター用ケース。
【請求項１３】
光を発する光源を備えたライター用ケースであって、
前記ライター用ケースに前記光が通る孔を設け、この孔の形を所定の伝達情報として形成したことを特徴とするライター用ケース。
【請求項１４】
前記光源が、発光ダイオードであることを特徴とする請求項９〜請求項１３のいずれか１項に記載のライター用ケース。
【請求項１５】
前記伝達情報が、文字または図の一部であることを特徴とする請求項９〜請求項１４のいずれか１項に記載のライター用ケース。
【請求項１６】
前記ライター用ケースの熱が所定温度以上になったときに前記光源への通電を許可する感熱スイッチを設けたことを特徴とする請求項９〜請求項１５のいずれか１項に記載のライター用ケース。
【考案の詳細な説明】
【技術分野】
【０００１】
本考案は、光源を備えたライターおよびライター用ケースに関する。
【背景技術】
【０００２】
従来、ライターやライター用ケースの表面に文字や図形などを描くとともに、その裏側に光源を設けたライターおよびライター用ケースが知られている（例えば、特開平１１−３２５４６４号公報）。これによれば、光源を発光させたときに、ライター等に描いた図形等が強調されるため、ライターの使用者が図形等を楽しんだり、宣伝効果を発揮することが可能であった。
【特許文献１】特開平１１−３２５４６４号公報
【考案の開示】
【考案が解決しようとする課題】
【０００３】
しかしながら、従来の技術では、光源を発光させる前に図形等を使用者が視認できてしまうので、より面白みのあるものを開発することが望まれていた。
【０００４】
そこで、本考案は、使用した際の面白さをより発揮することができるライターおよびライター用ケースを提供することを課題とする。
【課題を解決するための手段】
【０００５】
前記課題を解決する本考案は、光を発する光源を備えたライターであって、前記光源からの光が通る光路上に、所定の伝達情報を形成したフィルム体を配設したことを特徴とする。
【０００６】
ここで、「伝達情報」とは、所定の文字、図、記号などで表示される情報であり、例えば、会社のロゴマーク、キャラクター等の図柄、宣伝用の文字などを意味する。また、「フィルム体」とは、透明フィルム上に文字等を印刷したものや写真のフィルムなどを意味する。
【０００７】
本考案によれば、光源から光を照射させると、その光は、所定の伝達情報を形成したフィルム体を通過した後、外部へ出て行くこととなる。これにより、ライターの使用者は、ライターから出てくる光を壁等に当てることで、所定の伝達情報を映像として見ることができる。すなわち、使用者は、ライターの光源を発光させることで、初めて所定の伝達情報を知ることができるため、従来のようなライター表面を見れば光源を発光させなくても図形等を見ることができるものに比べ、使用した際の面白さをより発揮することができる。
【０００８】
また、本考案では、前記したフィルム体を設ける代わりに、光源の表面に所定の伝達情報を形成してもよいし、光源からの光が通過するレンズを設けて、このレンズの表面に所定の伝達情報を形成してもよい。さらには、ライターの外装ケースに光が通る孔を設けて、この孔の形を所定の伝達情報としてもよい。
これらによっても、前記したような効果を発揮することができる。
【０００９】
なお、フィルム体を設けた場合には、このフィルム体または光源を可動にして、これらの間の距離を可変に構成してもよい。
これによれば、フィルム体と光源との距離を変えることで、使用者は、ライターの位置を動かさなくても、光の映像を拡大・縮小させることができる。
【００１０】
また、本考案では、前記光源を発光ダイオードとしてもよい。
これによれば、小型で高輝度の発光ダイオードを使用するため、ライターを小型のまま維持できるとともに、前記した効果を確実に発揮させることができる。
【００１１】
さらに、本考案では、前記伝達情報を文字または図の一部としてもよい。
これによれば、複数のライターの光源を発光させ、それらの光の映像を並べ、または、重ね合わせるなどして組み合わせることで、初めて図等を視認することができるため、使用者の購買意欲を煽り、販売促進をより効果的に実現することができる。
【００１２】
また、本考案では、前記ライターの熱が所定温度以上になったときに前記光源への通電を許可する感熱スイッチを設けてもよい。
これによれば、例えば伝達情報を「高温注意」という文字にすれば、ライターによる点火を長時間維持することでライターが高温となった場合には、ライターから「高温注意」という光の映像が外部に照射されるので、使用者に注意を促すことができる。
【００１３】
また、前記したような伝達情報を外部の壁等に照射させるための光源やレンズ等は、ライター用ケースに設けるようにしてもよい。
これによれば、ライターのガスが無くなった場合であっても、ライター用ケースに新しいライターを装着し直すだけで、再度前記した効果を発揮させることができる。
【考案の効果】
【００１４】
本考案によれば、使用者は、光源を発光させることで、初めて所定の伝達情報を知ることができるため、使用した際の面白さをより発揮することができる。
【考案を実施するための最良の形態】
【００１５】
次に、本考案の実施形態について、適宜図面を参照しながら詳細に説明する。
図１に示すように、ライター１は、ガスやオイルなどの燃料を収容する燃料タンク部や点火装置（図示せず）を主に有した本体１１と、点火装置の発火部分を覆う蓋１２とを主に備えて構成されている。そして、本体１１のうち前記した燃料タンク部や点火装置の設置スペース以外の空いたスペース（具体的には、本体１１の下側の角部）には、映写装置２が設けられている。
【００１６】
映写装置２は、発光ダイオード（光源）２１、フィルム体２２、レンズ２３、スイッチ２４および電池２５を主に備えて構成されている。
【００１７】
発光ダイオード２１は、半導体のＰＮ接合部に電圧を印加することにより発光する素子であり、スイッチ２４をＯＮ状態とすることにより電池２５から電圧が印加されるようになっている。また、この発光ダイオード２１は、ライター１の下側に向けて配設されており、発光した光をフィルム体２２およびレンズ２３を介して外部に照射するようになっている。なお、この発光ダイオード２１の発光色は、赤、青、緑、白など任意に選択可能である。
【００１８】
フィルム体２２は、光を通す透明なフィルム基体上に印刷等により光を遮断する遮断部が形成された構造となっている。なお、この遮断部は、文字、図形、記号などの伝達情報として形成されており、例えば会社のロゴマークや所定のキャラクター状に形成されている。
【００１９】
レンズ２３は、２つの凸面を有する凸レンズであり、フィルム体２２を通ることで映像化された発光ダイオード２１からの光を集めて、外部へ照射させるように機能している。なお、このレンズ２３から発光ダイオード２１までの間には、光の漏れを防止するための反射板を略円錐の筒状にして配設するのが望ましい。
【００２０】
スイッチ２４は、使用者の押し動作によってＯＮ状態となるとともに、押し動作を解除することによってＯＦＦ状態となるスイッチであり、その頂部が本体１１の表面の適所から露出するように配設されている。
電池２５は、例えばアルカリボタン電池などの小型の電池であり、前記したスイッチ２４と発光ダイオード２１に直列に接続されている。
【００２１】
次に、本実施形態に係るライター１に設けられた映写装置２の使用方法について説明する。
ライター１の使用者がスイッチ２４を押すことにより発光ダイオード２１が発光すると、その光がフィルム体２２を通過した後、レンズ２３により集光されて外部に出て行く。そのため、使用者は、このレンズ２３から出てくる光を壁等に当てることで、フィルム体２２に形成された会社のロゴマークなどを拡大された映像として見ることができる。
【００２２】
以上によれば、本実施形態において以下のような効果を得ることができる。
使用者は、スイッチ２４を押すことで初めてフィルム体２２に形成された伝達情報を知ることができるため、従来のようなライター表面を見れば光源を発光させなくても図形等を見ることができるものに比べ、使用した際の面白さをより発揮することができる。また、フィルム体２２によって形成される光の映像は、ライター１と壁等との距離によって大きさが変わるので、使用者はライター１の位置を変えるだけで自分の好きな大きさでその映像を楽しむことができる。
【００２３】
なお、本考案は前記実施形態に限定されることなく、以下に例示するように様々な形態で利用できる。
前記実施形態では、映写装置２をライター１に適用したが、本考案はこれに限定されず、例えば図２（ａ）および（ｂ）に示すようなライター用ケース３に適用してもよい。具体的に、このライター用ケース３は、前記実施形態よりも小型のライター１’を収容する有底筒状のケースであり、その一側壁３１内に前記したスイッチ２４が設けられ、その反対側の側壁３２内に電池２５が設けられ、その下壁部３３内に発光ダイオード２１、フィルム体２２およびレンズ２３が設けられた構造となっている。このように映写装置２をライター用ケース３に設けた場合には、ライター１’のガスが無くなった場合であっても、ライター用ケース３に新しいライターを装着し直すだけで、再度映写装置２による映像を楽しむことができる。
【００２４】
前記実施形態では、フィルム体２２によって光の映像を形成するようにしたが、本考案はこれに限定されず、例えば発光ダイオード２１の表面やレンズ２３の表面に所定の伝達情報を印刷や表面加工等により形成することで光の映像を形成するようにしてもよい。また、ライター１の外装ケース自体に光が通る孔を形成し、この孔の形を所定の伝達情報とすることで、光の映像を形成するようにしてもよい。なお、発光ダイオード２１の表面に伝達情報を形成する場合や外装ケース自体に孔を形成する場合には、前記実施形態のようなフィルム体２２やレンズ２３が不要となり、コストを下げることができる。
前記実施形態では、フィルム体２２を発光ダイオード２１とレンズ２３の間に配設したが、発光ダイオード２１からの光が通る光路上に配設すればどの位置であってもよく、例えばレンズ２３よりも外側に配設してもよい。
【００２５】
前記実施形態では、光源として発光ダイオード２１を採用したが、本考案はこれに限定されず、例えばライターが多少大きいものであれば、メタルハライドランプや超高圧水銀灯などを採用してもよい。また、スイッチとしては、例えばプッシュプッシュ形式のものやレバータイプのものスライド式のものなどを採用してもよいし、電池としては、酸化銀電池やリチウムコイン電池などを採用してもよい。
【００２６】
前記実施形態では、伝達情報として文字、図形、記号などのそのもの自体だけで意味を有するものを採用したが、本考案はこれに限定されず、例えば文字または図形の一部であってもよい。これによれば、複数のライターの光源を発光させ、それらの光の映像を並べ、または、重ね合わせるなどして組み合わせることで、初めて図形等を視認することができるため、使用者の購買意欲を煽り、販売促進をより効果的に実現することができる。なお、この場合には、発光ダイオードの発光色をライター毎に応じて変えることで、多彩な光の映像を壁等に映し出すことができる。
【００２７】
また、スイッチとして、ライターまたはライター用ケースの熱が所定温度以上になったときにＯＮとなる（光源への通電を許可する）感熱スイッチを採用してもよい。これによれば、花火やバーベキューなどにおいてライターによる点火を長時間維持することによりライター等（特に金属部分）が所定温度以上になった場合であっても、光源からの光によって使用者に高温であることを知らせることができる。また、この場合、フィルム体等に形成する伝達情報を例えば「高温注意」など使用者にライターが高温であることを示すような情報にしておくことで、使用者に確実に注意を促すようにするのが好ましい。なお、図３に示すように、感熱スイッチ４は、特に、ライター１の金属部分１３の熱を検知する位置に設けるのが好ましい。
【００２８】
また、発光ダイオード２１またはフィルム体２２を可動にして、それらの間の距離を可変とするように構成してもよい。具体的には、例えば図４に示すように、フィルム体２２を、ライター１の外装ケース１４の表面にスライド自在となるスライダ部５１に固定させることで、使用者が手動で動かすスライダ部５１とともに可動するように構成すればよい。なお、この場合においては、スライダ部５１とフィルム体２２とを繋ぐ棒状部５２や、この棒状部５２と外装ケース１４との干渉を防止するとともに、スライダ部５１のスライド範囲を決める長孔１４ａを適宜設けておく。
【図面の簡単な説明】
【００２９】
【図１】本考案を適用したライターを示す側面図である。
【図２】本考案を適用したライターケースを示す側面図（ａ）と、正面図（ｂ）である。
【図３】本考案の他の実施形態として感熱スイッチを適用した形態を示す側面図である。
【図４】本考案の他の実施形態としてフィルム体を可動式にした形態を示す側面図である。
【符号の説明】
【００３０】
１      ライター
２      映写装置
３      ライター用ケース
１１    本体
２１    発光ダイオード（光源）
２２    フィルム体
２３    レンズ
【図１】
0003124865.tif 000003
【図２】
0003124865.tif 000004
【図３】
0003124865.tif 000005
【図４】
0003124865.tif 000006